(57)【要約】【課題】噴霧ノズルがケーシング内に配置された室外機であって、空気押出用ファンから押し出された押出空気が熱交換器全体に供給される空気調和装置の室外機を提供することを課題とする。【解決手段】本発明は、空気調和装置１の室外機１０であって、平面視において多角形の周壁１１０を有するケーシング１１と、ケーシング１１内の空気を外側に押し出す空気押出用ファン１３と、複数の側壁１１０ａ、１１０ｂ、１１０ｃ、１１０ｄのうちの少なくとも空気押出用ファン１３と対向する位置以外の側壁１１０ｂに沿うように配置される熱交換器１２と、ケーシング１１内に配置され且つ熱交換器１２よりも上流側において押出空気に水を噴霧する噴霧ノズル２２と、噴霧ノズル２２の下流側において押出空気の流れの一部を強制的に曲げる案内部材１７と、を備えることを特徴とする。【選択図】図３
2013130327.tif 000002
【特許請求の範囲】
【請求項１】
空気調和装置（１）の室外機（１０、１０Ａ）であって、
平面視において多角形の周壁（１１０）を有するケーシング（１１）と、
前記ケーシング（１１）内の空気を当該ケーシング（１１）の外側に押し出す空気押出用ファン（１３、１３Ａ）と、
前記ケーシング（１１）内において前記周壁（１１０）を構成する複数の側壁（１１０ａ、１１０ｂ、１１０ｃ、１１０ｄ）のうちの少なくとも前記空気押出用ファン（１３、１３Ａ）と対向する位置以外の側壁（１１０ａ、１１０ｂ、１１０ｃ）に沿うように配置される熱交換器（１２、１２Ａ）と、
前記ケーシング（１１）内に配置され、且つ前記空気押出用ファン（１３、１３Ａ）から押し出された空気である押出空気に対して前記熱交換器（１２、１２Ａ）よりも上流側において水を噴霧する噴霧ノズル（２２、２２Ａ）と、
前記噴霧ノズル（２２、２２Ａ）の下流側において前記押出空気の流れの一部を強制的に曲げる案内部材（１７、１７Ａ）と、を備える空気調和装置の室外機。
【請求項２】
前記熱交換器（１２）は、前記周壁（１１０）において互いに隣接する第１の側壁（１１０ａ）と第２の側壁（１１０ｂ）とにそれぞれ沿うように配置され、
前記空気押出用ファン（１３、１３Ａ）は、前記第１の側壁（１１０ａ）に対応する前記熱交換器の第１の部位（１２ａ）と対向する位置に配置されて当該第１の部位（１２ａ）に向けて空気を押し出し、
前記案内部材（１７）は、前記第１の部位（１２ａ）に向けて押し出された押出空気の一部を前記第２の側壁（１１０ｂ）に対応する前記熱交換器の第２の部位（１２ｂ）側に曲げる、請求項１に記載の空気調和装置の室外機。
【請求項３】
前記空気押出用ファン（１３、１３Ａ）は、前記熱交換器（１２Ａ）よりも上方位置に配置されて前記ケーシング（１１）の底壁（１１４）に向かって空気を押し出し、
前記案内部材（１７Ａ）は、前記空気押出用ファン（１３、１３Ａ）に押し出されることにより前記底壁（１１４）向かって進むにつれて下方向きから側壁（１１０ａ、１１０ｂ、１１０ｃ）側に向かう方向に曲がる押出空気の流れの一部を、さらに強制的に曲げる、請求項１に記載の空気調和装置の室外機。
【発明の詳細な説明】
【技術分野】
【０００１】
本発明は、冷媒が循環して蒸気圧縮式の冷凍サイクルを行う空気調和装置の室外機に関する。
【背景技術】
【０００２】
従来、空気押出ファンから熱交換器に向けて押し出された空気に対して水を噴霧する噴霧ノズルをケーシング内に備えた空気調和装置の室外機として、特許文献１に記載のものが知られている。
【０００３】
この室外機は、図８に示されるように、図略のケーシングと、このケーシング内に配置される熱交換器１０１と、前記ケーシング内において熱交換器１０１と対向する位置に配置され、且つ熱交換器１０１に向けて空気を押し出す空気押出用ファン１０２と、前記ケーシング内において熱交換器１０１と空気押出用ファン１０２との間に配置され、空気押出用ファン１０２から熱交換器１０１に向かう空気（押出空気）対して水を噴霧する噴霧ノズル１０３と、を備える。
【０００４】
この室外機１００では、空気押出用ファン１０２から熱交換器１０１に供給される押出空気に対して噴霧ノズル１０３が水を噴霧することにより、この噴霧水の蒸発潜熱によって熱交換器１０１に供給される押出空気が冷却され、これにより、熱交換器１０１における凝縮能力が向上して冷媒の冷却効率が向上する。
【先行技術文献】
【特許文献】
【０００５】
【特許文献１】実開平２−５５０２７号公報
【発明の概要】
【発明が解決しようとする課題】
【０００６】
空気押出用ファン１０２から押し出された押出空気が直進性を有するため、上記の室外機１００において、空気押出用ファン１０２と対向する位置以外の位置に熱交換器１０１若しくは熱交換器の一部が配置されるとすると、前記対向する位置以外の位置に配置された熱交換器等には、押出空気が供給され難い場合が生じ得る。即ち、熱交換器全体に当該熱交換器を冷却するための押出空気が供給されない場合が生じ得る。
【０００７】
そこで、噴霧ノズルがケーシング内に配置された室外機であって、空気押出用ファンから押し出された押出空気が熱交換器全体に供給される空気調和装置の室外機を提供することを課題とする。
【課題を解決するための手段】
【０００８】
そこで、上記課題を解消すべく、本発明は、空気調和装置（１）の室外機（１０、１０Ａ）であって、平面視において多角形の周壁（１１０）を有するケーシング（１１）と、前記ケーシング（１１）内の空気を当該ケーシング（１１）の外側に押し出す空気押出用ファン（１３、１３Ａ）と、前記ケーシング（１１）内において前記周壁（１１０）を構成する複数の側壁（１１０ａ、１１０ｂ、１１０ｃ、１１０ｄ）のうちの少なくとも前記空気押出用ファン（１３、１３Ａ）と対向する位置以外の側壁（１１０ａ、１１０ｂ、１１０ｃ）に沿うように配置される熱交換器（１２、１２Ａ）と、前記ケーシング（１１）内に配置され、且つ前記空気押出用ファン（１３、１３Ａ）から押し出された空気である押出空気に対して前記熱交換器（１２、１２Ａ）よりも上流側において水を噴霧する噴霧ノズル（２２、２２Ａ）と、前記噴霧ノズル（２２、２２Ａ）の下流側において前記押出空気の流れの一部を強制的に曲げる案内部材（１７、１７Ａ）と、を備える。
【０００９】
かかる構成によれば、噴霧ノズル（２２、２２Ａ）をケーシング（１１）に内蔵することによって室外機（１０、１０Ａ）の設置スペースを抑えつつ、案内部材（１７、１７Ａ）を設けることによって空気押出用ファン（１３、１３Ａ）から押し出された空気（押出空気）により熱交換器（１２、１２Ａ）全体を好適に冷却することを可能にする。
【００１０】
具体的には、噴霧ノズル（２２、２２Ａ）がケーシング（１１）内に配置されているため、室外機（１０、１０Ａ）の設置の際にケーシング（１１）の外側に噴霧ノズル（２２、２２Ａ）を配置するスペースが必要なく、これにより、設置スペースが抑えられる。
【００１１】
しかも、案内部材（１７、１７Ａ）を設けて空気押出用ファン（１３、１３Ａ）から押し出された押出空気の流れの一部を噴霧ノズル（２２、２２Ａ）の下流側において強制的に曲げることにより、案内部材（１７、１７Ａ）がないとすると押出空気が向かわない若しくは向かい難い領域に噴霧水によって冷却された押出空気を案内することが可能となる。これにより、熱交換器（１２、１２Ａ）全体を好適に冷却することが可能となる。
【００１２】
尚、本発明に係る空気調和装置（１）の室外機（１０）において、例えば、前記熱交換器（１２）は、前記周壁（１１０）において互いに隣接する第１の側壁（１１０ａ）と第２の側壁（１１０ｂ）とにそれぞれ沿うように配置され、前記空気押出用ファン（１３、１３Ａ）は、前記第１の側壁（１１０ａ）に対応する前記熱交換器の第１の部位（１２ａ）と対向する位置に配置されて当該第１の部位（１２ａ）に向けて空気を押し出し、前記案内部材（１７）は、前記第１の部位（１２ａ）に向けて押し出された押出空気の一部を前記第２の側壁（１１０ｂ）に対応する前記熱交換器の第２の部位（１２ｂ）側に曲げてもよく、また、前記空気押出用ファン（１３、１３Ａ）は、前記熱交換器（１２Ａ）よりも上方位置に配置されて前記ケーシング（１１）の底壁（１１４）に向かって空気を押し出し、
前記案内部材（１７Ａ）は、前記空気押出用ファン（１３、１３Ａ）に押し出されることにより前記底壁（１１４）向かって進むにつれて下方向きから側壁（１１０ａ、１１０ｂ、１１０ｃ）側に向かう方向に曲がる押出空気の流れの一部を、さらに強制的に曲げてもよい。即ち、空気押出用ファン（１３、１３Ａ）がケーシング（１１）の側壁に沿う熱交換器（１２）と対向する位置に配置されるタイプの室外機（１０）であっても、また、空気押出用ファン（１３、１３Ａ）がケーシング（１１）上部の熱交換器１２Ａよりも上方に配置される（熱交換器（１２Ａ）と対向しない位置に配置される）タイプの室外機（１０Ａ）であっても、噴霧ノズル（２２、２２Ａ）をケーシング（１１）に内蔵することによって室外機（１０、１０Ａ）の設置スペースを抑えつつ、案内部材（１７、１７Ａ）を設けることによって空気押出用ファン（１３、１３Ａ）から押し出された空気（押出空気）により熱交換器（１２、１２Ａ）全体を好適に冷却することを可能にする。
【発明の効果】
【００１３】
以上より、本発明によれば、噴霧ノズルがケーシング内に配置された室外機であって、空気押出用ファンから押し出された押出空気が熱交換器全体に供給される空気調和装置の室外機を提供することができる。
【図面の簡単な説明】
【００１４】
【図１】本実施形態に係る空気調和装置の概略構成図である。
【図２】前記空気調和装置の室外機の斜視図である。
【図３】前記室外機内の構成及び空気の流れを説明するための図である。
【図４】前記室外機の熱交換器に対する噴霧ノズルの配置位置を説明するための図である。
【図５】他実施形態に係る室外機であって、（Ａ）は縦断面図であり、（Ｂ）は図５（Ａ）のＶＢ−ＶＢ位置の断面図である。
【図６】導流板のない室外機における押出空気の流れを説明するための図である。
【図７】他実施形態に係る噴霧ノズルを説明するための図である。
【図８】熱交換器に水を噴霧する方式の従来の室外機を説明するための図である。
【発明を実施するための形態】
【００１５】
以下、本発明の一実施形態について、添付図面を参照しつつ説明する。
【００１６】
本実施形態に係る室外機は、例えば、図１に示される空気調和装置１に用いられる。この空気調和装置１は、室外機１０と、室内機２と、これらを接続する冷媒配管３、３とを備える。
【００１７】
室外機１０は、図２及び図３にも示されるように、ケーシング１１と、熱交換器１２と、空気押出用ファン１３と、四方切換弁１４と、圧縮機１５と、温度センサ１６と、噴霧装置２０と、導流板（案内部材）１７と、膨張弁１８と、図略の室外機制御部と、を備える。尚、図１では、説明の便宜のため、噴霧装置２０の一部が省略されている。
【００１８】
ケーシング１１は、内部空間に熱交換器１２や空気押出用ファン１３、噴霧装置２０等を有する。このケーシング１１は、内部空間を水平方向から囲む筒状の周壁１１０と、周壁１１０の上部開口を塞ぐ天壁１１２と、周壁１１０の下部開口を塞ぐ底壁１１４とを有する。
【００１９】
周壁１１０は、平面視において矩形の筒状であり、底壁１１４の周縁から垂直に立ち上る４つの側壁（第１〜第４の側壁）１１０ａ、１１０ｂ、１１０ｃ、１１０ｄによって構成される。第１の側壁１１０ａ及び第２の側壁１１０ｂは熱交換器１２と対向し、第３の側壁１１０ｃは空気押出用ファン１３と対向する。
【００２０】
尚、周壁１１０は、平面視において矩形の筒状に限定されず、多角形の筒状であればよい。
【００２１】
第１の側壁１１０ａは、熱交換器１２と対向する領域に、ケーシング１１内から外部に空気が流出可能な複数の開口部１１１を有する。第２の側壁１１０ｂは、第１の側壁１１０ａに隣接し、第１の側壁１１０ａと同様に、熱交換器１２と対向する領域に複数の開口部１１１を有する。第３の側壁１１０ｃは、第２の側壁１１０ｂに隣接すると共に第１の側壁１１０ａと間隔をおいて平行な姿勢で起立し、空気押出用ファン１３と対向する領域に外気がケーシング１１内に流入可能な開口部（図示省略）等を有する。第４の側壁１１０ｄは、第１及び第３の側壁１１０ａ、１１０ｃに隣接すると共に、第２の側壁１１０ｂと間隔をおいて平行な姿勢で起立する。
【００２２】
熱交換器１２は、内部を冷媒が流れる伝熱管（図示省略）と、前記伝熱管が貫通する多数のプレートフィン（図示省略）と、を備える。この熱交換器１２では、伝熱管の管壁とプレートフィンとを介して伝熱管内を流れる冷媒とプレートフィン同士の間を流れる外気（空気）との間で熱交換が行われる。本実施形態の熱交換器１２は、例えば、クロスフィンコイル式の熱交換器であるが、これに限定されない。
【００２３】
この熱交換器１２は、底壁１１４から上方に向かって立設され、第１の側壁１１０ａと第２の側壁１１０ｂとにそれぞれ沿うように平面視においてＬ字状に配置される。
【００２４】
空気押出用ファン１３は、熱交換器１２に外気（押出空気）を導く。詳しくは、空気押出用ファン１３は、第３の側壁１１０ｃを通じてケーシング１１内に外気（空気）を引き込み、この引き込んだ空気を、熱交換器１２とこの熱交換器１２が対向する側壁（第１及び第２の側壁１１０ａ、１１０ｂ）とを順に通過させてケーシング１１の外側に押し出す。空気押出用ファン１３は、羽根車１３Ａと、この羽根車１３Ａを回転させるモータ（図示省略）とを備える。この空気押出用ファン１３は、第１の側壁１１０ａに対応する熱交換器の部位（第１の部位１２ａ）と対向する位置に配置され、これにより、第３の側壁１１０ｃを通じて空気（外気）を引き込み、この引き込んだ空気を第１の部位１２ａに向けて押し出す。尚、第２の側壁１１０ｂに対応する熱交換器１２の部位を、以下では第２の部位１２ｂとする。
【００２５】
圧縮機１５は、当該圧縮機１５の駆動によって室外機１０と室内機２との間において冷媒を循環させる。
【００２６】
温度センサ１６は、室外機１０の図略の室外機制御部に接続され、ケーシング１１内に吸気される外気（空気）の温度を測定し、測定結果に応じた空気温度信号を出力する。
【００２７】
前記室外機制御部は、室外機１０の各構成要素の制御を行う。例えば、空気調和装置１の運転時に、前記室外機制御部は、圧縮機１５を駆動させる制御を行うと共に、空気押出用ファン１３を駆動する制御を行う。これにより、空気調和装置１において、室外機１０と室内機２との間を冷媒が循環すると共に、外気が熱交換器１２に導かれて当該熱交換器１２が冷却される。また、前記室外機制御部は、温度センサ１６によって測定された外気の温度が所定の温度以上に達すると、冷房運転の負荷が所定のレベルを超えた状態となるため、噴霧装置２０を駆動させる。これにより、噴霧装置２０から水が噴霧される。
【００２８】
噴霧装置２０は、空気調和装置１の冷房運転時においてケーシング１１内において水を噴霧することにより、熱交換器１２に導かれる外気（押出空気）を冷却する。この押出空気の流れは、上記の空気押出用ファン１３の駆動によって形成される。このように、噴霧装置２０は、水を霧状に噴霧し、その蒸発潜熱を利用して熱交換器１２を補助的（間接的）に冷却することによって熱交換器１２の凝縮能力を向上させ、これにより、熱交換器１２における冷媒の冷却効率の向上を図る（即ち、空気調和装置１の冷房能力の向上を図る）。
【００２９】
具体的に、噴霧装置２０は、複数の噴霧ノズル２２と、図略の水供給機構と、図略のエア供給機構と、を備え、ケーシング１１内に配置される。本実施形態の室外機１０では、各噴霧ノズル２２に対して前記水供給機構と前記エア供給機構とがそれぞれ接続されている。図１においては、説明の便宜上、一つの噴霧ノズル２２のみを示し、他を省略する。
【００３０】
噴霧ノズル２２は、空気押出用ファン１３から押し出された空気（押出空気）に対して熱交換器１２よりも上流側において水を噴霧する。本実施形態の噴霧ノズル２２は、当該噴霧ノズル２２に接続される水供給機構とエア供給機構とから水と空気とが供給されることにより水を噴霧する２流体ノズルである。
【００３１】
尚、噴霧ノズルは、２流体ノズルに限定されず、水のみが供給されることにより当該水を噴霧するノズルであってもよい。即ち、噴霧ノズルは、押出空気に対して霧状に水を噴霧できればよい。但し、本実施形態の噴霧ノズル２２ように２流体ノズルであれば、噴霧ノズル２２から空気のみを噴出させることにより、熱交換器１２のプレートフィンの洗浄を行うことができる。また、暖房運転時のデフロスト時に噴霧ノズル２２から水のみを噴出させることにより、デフロストの時間短縮を図ることができる。
【００３２】
このような噴霧ノズル２２は、空気押出用ファン１３と熱交換器１２の第１の部位１２ａとの間に配置される。具体的には、各噴霧ノズル２２は、第１の部位１２ａに沿って互いに間隔をあけて配置される。詳しくは、各噴霧ノズル２２から噴霧される水（液滴）が拡散する範囲、即ち、各噴霧ノズル２２により熱交換器１２に向かう空気が冷却される範囲に基づいて、各噴霧ノズル２２は、互いに上下及び水平方向に例えば数十センチ程度の間隔をおいて点在するように配置される。本実施形態の噴霧ノズル２２は、例えば、図４に示すように６個設けられているが、この配置及び数に限定されない。
【００３３】
導流板１７は、空気押出用ファン１３から第１の部位１２ａに向かう押出空気の一部を第２の部位１２ｂに案内する板状の部材である。この導流板１７は、空気押出用ファン１３により押し出されて第１の部位１２ａに向かって流れる押出空気の流れの一部を、噴霧ノズル２２よりも下流側において分流し、この分流した押出空気の流れを第２の部位１２ｂに案内可能な形状を有する。つまり、空気押出用ファン１３によって押し出された押出空気は主に第１の部位１２ａに向かって流れ、導流板１７はこの押出空気の流れの一部を強制的に曲げて第２の部位１２ｂに向かう流れにする。
【００３４】
尚、本実施形態の導流板１７は、図４に示されるように２枚設けられているが、具体的な形状や配置数、配置位置は、限定されない。即ち、導流板は、水の噴霧によって冷却された押出空気がケーシングの２以上の側壁に沿うように配置された熱交換器の全体に供給されるような形状、配置数、及び配置位置であればよい。
【００３５】
以上の空気調和装置１の室外機１０によれば、噴霧ノズル２２をケーシング１１に内蔵することによって室外機１０の設置スペースを抑えつつ、案内部材１７を設けることによって空気押出用ファン１３から押し出された押出空気により熱交換器１２全体を好適に冷却することを可能にする。
【００３６】
具体的には、噴霧ノズル２２がケーシング１１内に配置されているため、室外機１０の設置の際にケーシング１１の外側に噴霧ノズル２２を配置するスペースが必要なく、これにより、設置スペースが抑えられる。
【００３７】
しかも、ケーシング１１内に噴霧ノズル２２が配置されているため噴霧された水が横風等の影響を受け難く、そのため、噴霧ノズルがケーシングの外側に配置された室外機のように横風によって噴霧した水が散逸して熱交換器に導かれる空気の冷却効果が低減することが効果的に防止される。
【００３８】
さらに、案内部材１７を設けて空気押出用ファン１３から押し出された押出空気の流れの一部を噴霧ノズル２２の下流側において強制的に曲げることにより、案内部材１７がないとすると押出空気が向かわない若しくは向かい難い領域（本実施形態では熱交換器の第２の部位１２ｂ）に噴霧水によって冷却された押出空気を案内することが可能となる。これにより、熱交換器１２全体を好適に冷却することができる。
【００３９】
尚、本発明の空気調和装置の室外機は、上記実施形態に限定されるものではなく、本発明の要旨を逸脱しない範囲内において種々変更を加え得ることは勿論である。
【００４０】
上記実施形態の室外機１０は、空気押出用ファン１３が熱交換器１２と対向する、いわゆるトランク型の室外機であるが、このタイプに限定されない。例えば、図５（Ａ）及び図５（Ｂ）に示されるように、室外機１０Ａは、空気押出用ファン１３が熱交換器１２Ａよりも上方位置に配置されてケーシング１１の底壁１１４に向かって空気を押し出すタイプであってもよい。この図５（Ａ）及び図５（Ｂ）の例では、空気押出用ファン１３は、天壁１１２に設けられる。熱交換器１２Ａは、ケーシング１１の周壁１１０における第１〜第３の側壁１１０ａ、１１０ｂ、１１０ｃにそれぞれ沿うように底壁１１４上に立設されている。即ち、この熱交換器１２Ａは、平面視においてコ字状の形状を有する。尚、熱交換器の具体的な形状は限定されず、第１〜第３の側壁１１０ａ、１１０ｂ、１１０ｃに加え、第４の側壁１１０ｄにも沿っている平面視においてロ字状等であってもよい。即ち、熱交換器は、ケーシングの周壁を構成する複数の側壁のうちの２以上の側壁にそれぞれ沿うように配置されていればよい。噴霧ノズル２２は、対向する側壁（例えば、第１の側壁１１０ａ及び第３の側壁１１０ｃ）の上部間に掛け渡された支持部材１１２ａ等によってケーシング１１に固定されている。また、噴霧ノズル２２の数は、１個だけに限定されず、複数個でもよい。
【００４１】
このように、ケーシング１１の上部に空気押出用ファン１３が設けられた室外機１０Ａでは、押出空気は、底壁１１４に向かって押し出されるが、底壁１１４によってその進路が塞がれているため、ケーシング１１の下部側においてその流れ方向が下向きから側方へ向きを変え、側壁１１０ａ、１１０ｂ、１１０ｃ側から外部に押し出される。この場合、導流板１７Ａは、前記底壁１１４に向けて押し出された押出空気の一部を強制的に側壁１１０ａ、１１０ｂ、１１０ｃに沿って配置される熱交換器１２Ａ側に曲げる。具体的には、前記押出空気の一部を強制的に熱交換器１２Ａの上部側に（図５（Ａ）では、例えば、上端から１／３程度の領域に向けて）曲げる。これにより、熱交換器１２Ａの上下方向における略全域に亘って押出空気が当該熱交換器１２Ａを通じてケーシング１１の外側に押し出される。即ち、空気押出用ファン１３によって押し出された空気（押出空気）は、その直進性によって、導流板１７Ａがなければ熱交換器１２Ａの下部側を通過してケーシング１１の外側に押し出され、熱交換器１２の上部側を通過し難いが（図６参照）、導流板１７Ａが設けられることにより、熱交換器１２の上部側にも押出空気が案内される（図５（Ａ）参照）。これにより、押出空気によって熱交換器１２Ａ全体を冷却することができる。尚、導流板１７Ａの配置位置は、図５（Ａ）に示される位置に限定されない。即ち、空気押出用ファン１３が熱交換器１２Ａよりも上方側から底壁１１４に向けて空気を押し出す室外機１０Ａにおいて、導流板１７Ａが設けられないと、押出空気の直進性によって、通常、熱交換器１２Ａの上部側を通加して側壁１１０ａ、１１０ｂ、１１０ｃの外側へ押し出される押出空気の流量が小さくなるため、この流量の小さくなる領域に押出空気の流れの一部を強制的に案内できる位置に導流板１７Ａが配置されていればよい。
【００４２】
この場合、導流板１７Ａは、上下方向において１箇所のみに設けられてもよく、また、複数個所（例えば、２箇所（図５（Ａ）の点線参照）等）に設けられてもよい。即ち、導流板１７Ａは、熱交換器１２Ａの上下方向における略全域に亘って押出空気が供給されるように配置されていればよい。
【００４３】
また、上記実施形態では、噴霧ノズル２２は押出空気の流れ方向に噴霧孔を向けて水を噴霧しているが、噴霧方向はこの方向に限定されない。
【００４４】
また、噴霧ノズル２２の具体的構成は限定されない。例えば、上記実施形態の噴霧ノズル２２は、空気押出用ファン１３と別体として構成されているが、図７に示されるように、羽根車１３Ａと一体的に構成されてもよい。この場合、噴霧ノズル２２Ａは、複数の噴霧孔を有することにより、広い範囲に水を噴霧することが可能となる。
【符号の説明】
【００４５】
１            空気調和装置
１０、１０Ａ  室外機
１１          ケーシング
１２、１２Ａ  熱交換器
１２ａ        第１の部位
１２ｂ        第２の部位
１３          空気押出用ファン
１７、１７Ａ  導流板（案内部材）
２２、２２Ａ  噴霧ノズル
１１０        周壁
１１０ａ      第１の側壁
１１０ｂ      第２の側壁
１１４        底壁
【図１】
2013130327.tif 000003
【図２】
2013130327.tif 000004
【図３】
2013130327.tif 000005
【図４】
2013130327.tif 000006
【図５】
2013130327.tif 000007
【図６】
2013130327.tif 000008
【図７】
2013130327.tif 000009
【図８】
2013130327.tif 000010